【手続補正書】
【提出日】平成15年12月9日(2003.12.9)
【手続補正１】
【補正対象書類名】明細書
【補正対象項目名】全文
【補正方法】変更
【補正の内容】
【発明の名称】洗顔用の化粧料
【特許請求の範囲】
【請求項１】 脂肪酸及び石鹸を構成する脂肪酸の脂肪酸組成におけるステアリン酸のラウリン酸に対する重量比が０．８〜１．４である化粧料であって、スフィンゴ糖脂質を０．０２〜１重量％を含有することを特徴とする、クリーム状の洗顔用化粧料。
【請求項２】ステアリン酸及び／又はその塩の含有量が７〜２０重量％であることを特徴とする、請求項１に記載の洗顔用化粧料。
【請求項３】更に、抗炎症成分を含有することを特徴とする、請求項１又は２に記載の洗顔用化粧料。
【請求項４】抗炎症成分がグリチルリチン酸ジカリウム塩及び／又はゴボウのエキスであることを特徴とする、請求項１〜３の何れか１項に記載の洗顔用化粧料。
【請求項５】敏感肌の人用であることを特徴とする、請求項１〜４の何れか１項に記載の洗顔用化粧料。
【発明の詳細な説明】
【０００１】
【発明の属する技術分野】
本発明は、敏感肌の人が使用するのに好適な洗顔用の化粧料に関する。
【０００２】
【従来の技術】
女性は、メークアップ化粧などを装う為に、日に数度と無く洗顔を行う慣習を有しており、この為、洗顔回数を重ねても過剰洗浄にならない様な機能を有する洗顔料を使用しなければならない。この様な洗顔料として開発されたのが、脂肪酸のカリウム石鹸を用いて、クリーム状に調整し、使用時にこれに水を加えて泡立て、この泡を用いて洗浄するといったクリーム状の洗浄料である。この様な洗浄料は、脂肪酸石鹸の内、起泡力の高いラウリン酸カリウムの含有量を高くしたものである。泡で洗浄することにより、固形石鹸そのものを擦りつけて洗浄する従来の方法に比して、皮脂の残り具合が適度で洗浄回数を重ねても過剰洗浄にならないメリットを有している。しかしながら、ラウリン酸或いはラウリン酸塩の皮膚一次刺激性は高く、敏感肌の人においては、極微量に残存したラウリン酸やラウリン酸塩の刺激により、炎症を起こす場合があった。このラウリン酸やラウリン酸塩の含有量を減らすと、起泡性が低下し、泡による洗浄は困難となってしまい、ラウリン酸類に起因する刺激発現の抑制は望まれているにもかかわらず、達成されていないのが現状であった。即ち、洗浄性を損なうことなく、この様な炎症発現を抑制し、更に安全性の高
い洗浄用の化粧料の開発が待たれていた。
【０００３】
一方、スフィンゴ糖脂質は一般的に化粧料で使用されている、保湿剤であるが、このものと脂肪酸及び石鹸の構成脂肪酸組成に於いて、ステアリン酸のラウリン酸に対する比が高い脂肪酸塩を洗浄剤とする洗顔料に共に含有させることは行われていなかったし、従って、この様な洗顔用の化粧料が洗浄力は維持されつつも、敏感肌の人に対する刺激発現性が低いことも全く知られていなかった。
【０００４】
【発明が解決しようとする課題】
本発明は、この様な状況下為されたものであり、洗浄性を損なうことなく、炎症発現を抑制し、更に安全性の高い洗顔用の化粧料を提供することを課題とする。
【０００５】
【課題の解決手段】
本発明者らは、この様な状況に鑑みて、優れた洗浄性を有しながら、炎症発現を抑制し、更に安全性の高い洗顔用の化粧料を求めて鋭意研究努力を重ねた結果、脂肪酸及び石鹸を構成する脂肪酸の脂肪酸組成に於いて、ステアリン酸のラウリン酸に対する重量比が０．８〜１．４であり、スフィンゴ糖脂質を０．０２〜１重量％を含有させることを、洗顔用の化粧料の構成要素とする事により、目的の洗顔用化粧料が得られることを見いだし発明を完成させるに至った。即ち、本発明は、脂肪酸及び石鹸を構成する脂肪酸の脂肪酸組成に於いて、ステアリン酸のラウリン酸に対する重量比が０．８〜１．４であり、スフィンゴ糖脂質を０．０２〜１重量％を含有する事を特徴とする、洗顔用の化粧料を提供するものである。
【０００６】
【発明の実施の形態】
（１） 本発明の洗顔用化粧料の必須構成要件である脂肪酸組成
本発明の洗顔料は、脂肪酸及び石鹸を構成する脂肪酸の脂肪酸組成に於いて、ステアリン酸のラウリン酸に対する重量比が０．８〜１．４であること、更に好ましくは０．９〜１．１であることを必須構成要件とする。このことは言い換えれば、脂肪酸及び石鹸の構成脂肪酸として、ステアリン酸をラウリン酸と同程度に含有すると言うことを意味する。通常洗顔料に於いては、ラウリン酸石鹸が泡立ちが極めて良く、洗浄作用にも優れることから、その脂肪酸及び石鹸の構成脂肪酸の組成としては、ラウリン酸を多く含む形態、言い換えれば、ステアリン酸のラウリン酸に対する重量比で０．２〜０．５程度にステアリン酸の割合を抑えた組成の混合脂肪酸を使用した形態をとっている。これは、ステアリン酸量が少ないとラウリン酸による刺激発現の可能性が高くなることと、ステアリン酸量が増えすぎると洗浄特性が低下することを勘案しての設定である。しかしながら、この様数値範囲に於いては、本発明者らの調査によれば、アトピー性皮膚炎の患者などの敏感肌の人にとっては、この様な範囲に於いてもラウリン酸及び／又はその塩に起因する炎症などの肌トラブルが出現することがわかっている。本発明者らは、ステアリン酸のラウリン酸に対する重量比が０．８以上であること、更に好ましくは０．９以上にする事により、この様な刺激発現を抑制しうることを見いだした。更に、洗浄性に鑑みるならば、ラウリン酸をステアリン酸へ置換することによる洗浄性の低下は、ステアリン酸のラウリン酸に対する重量比が１．４以下であること、更に好ましくは１．１以下であるようにコントロールする事により、後記のスフィンゴ糖脂質の添加により維持できることを見いだした。即ち、脂肪酸及び石鹸を構成する脂肪酸の構成比において、ステアリン酸のラウリン酸に対する重量比が０．８〜１．４であること、更に好ましくは０．９〜１．１を構成要件とすることが本発明の洗顔料には必須であることが判明した。その他の脂肪酸及び石鹸の要件としては、その含有量と中和率が挙げられるが、これは製剤の種類に合わせて通常の洗顔用の化粧料の条件に準拠させればよい。この様な条件としては、含有量としては、ステアリン酸及び／又はその塩の含有量が７〜２０重量％、更に好ましくは、９〜１８重量％であることが挙げられる。更に、脂肪酸と石鹸の構成脂肪酸に於いて、ラウリン酸とステア
リン酸以外に、ミリスチン酸やパルミチン酸、オレイン酸、リノール酸等の脂肪酸をラウリン酸とステアリン酸の含有量の和に対して重量比で０．４〜１、更に好ましくは０．５〜０．７含有することも条件として好ましい。これは、この様な範囲に於いて泡の柔らかさが得られるからである。又、中和率に関して好ましい条件は５０〜９０％、更に好ましくは６０〜８０重量％である。これは、この範囲に於いて、低温保存で見られることのある、ブツの生成が抑制されるからである。
【０００７】
（２） 本発明の洗顔用化粧料の必須構成要素であるスフィンゴ糖脂質
本発明の、洗顔用の化粧料は、上記の如く、ステアリン酸量が増加することによって生じる洗浄性、言い換えれば泡の強度と泡立ちの良さを維持する目的で、スフィンゴ糖脂質を含有することを必須構成要素とする。このものを含有することにより泡立ちが良くなりしかも立った泡が消えにくくなる。これによって、洗顔料を水と共に手のひらで合わせて泡立て、この泡で顔を洗浄するような使用法を用いても本発明の洗顔用の化粧料は優れた洗浄作用を発揮する。スフィンゴ糖脂質の起源としては、米糠等の植物と牛脳等の動物由来のものがあり、何れも使用できるが、ホルモン類が混入したりする危険が少ないことから、植物由来のものが特に好ましい。本発明の洗顔用の化粧料に於ける、スフィンゴ糖脂質の好ましい含有量は、０．０２〜１重量％であり、更に好ましくは０．０５〜０．５重量％である。これは少なすぎると洗浄力維持効果を発揮できない場合があり、多すぎると不溶物の析出よる使用感の低下を招くことがあるからである。
【０００８】
（３） 本発明の洗顔用化粧料
本発明の洗顔用の化粧料は上記の必須の構成要件と構成要素を満足すれば、本発明の効果を損なわない範囲に於いて、通常この様な化粧料で使用される任意の成分を含有することができる。この様な任意成分としては、例えば、スクワラン、ワセリン、マイクロクリスタリンワックス等の炭化水素類、ホホバ油、カルナウバワックス，オレイン酸オクチルドデシル等のエステル類、オリーブ油、牛脂、椰子油等のトリグリセライド類、ステアリン酸、オレイン酸、リチノレイン酸等の脂肪酸、オレイルアルコール、ステアリルアルコール、オクチルドデカノール等の高級アルコール、スルホコハク酸エステルやポリオキシエチレンアルキル硫酸ナトリウム等のアニオン界面活性剤類、アルキルベタイン塩等の両性界面活性剤類、ジアルキルアンモニウム塩等のカチオン界面活性剤類、ソルビタン脂肪酸エステル、脂肪酸モノグリセライド、これらのポリオキシエチレン付加物、ポリオキシエチレンアルキルエーテル、ポリオキシエチレン脂肪酸エステル等の非イオン界面活性剤類、ポリエチレングリコール、グリセリン、１，３−ブタンジオール等の多価アルコール類、増粘・ゲル化剤、酸化防止剤、紫外線吸収剤、色剤、防腐剤、粉体、抗炎症剤やビタミン等の有効成分等を含有することができる。これらの内、特に好ましいものは、抗炎症作用を有する成分であり、この様なものとしては、例えば、グリチルリチン酸ジカリウム、グリチルレチン酸ステアリル等のグリチルリチン酸関連物質、ゴボウのエキスやシラカバのエキス等のような抗炎症生薬のエキス類等が例示できる。これらの抗炎症成分を含有することにより、洗いの動作や冷水による温度刺激などの物理的刺激によって炎症が生じるのを防ぐことができ、本発明の洗顔用の化粧料の効果を更に高めることができる。これらの抗炎症成分の含有量は、０．０１〜０．５重量％が好ましい。本発明の洗顔用の化粧料はこれらの必須の物質と任意の物質を常法に従って処理することにより製造することができる。尚、本発明の洗顔用の化粧料において、洗顔用の化粧料とは、水洗によって洗浄することを目的に使用される化粧料組成物であって、石鹸やアルキル硫酸エステルの塩等のアニオン界面活性剤や両性界面活性剤等を洗浄成分として含有するものを言い、固形、クリーム状或いは液状と言った性状を問わないこれらの剤形の内で、本発明の洗顔用の化粧料として特に好ましいものはクリーム状であり、その使用方法は前述の如く手のひらで水と共に泡立てて、この泡を以て洗浄する剤形のものである。これは、この様な洗浄方法が特に刺激発現が少ないからである。又、本発明の洗顔用の化粧料は、敏感肌の人に特に好適使用されるが、普通の肌の人が使用しても何ら不利な点が無く、この様な普通の肌が
使用する場合にも本発明の技術的範囲に属する。
【０００９】
【実施例】
以下に、実施例を挙げて、本発明について更に詳細に説明を加えるが、本発明がこれら実施例にのみ限定を受けないことは言うまでもない。
【００１０】
＜実施例１＞
以下に示す処方に従って、洗顔用の化粧料を作成した。即ち、処方成分を８０℃で加熱・攪拌し、攪拌冷却して洗顔用の化粧料（クリーム状）を得た。
水素添加大豆レシチン                              ０．４重量部
スフィンゴ糖脂質                                  ０．１重量部
大豆蛋白                                          ０．１重量部
ゴボウエキス                                      ０．１重量部
エタノール                                        １    重量部
ポリエチレングリコール                            １．８重量部
ポリオキシエチレンポリオキシプロピレングリセリン  １．８重量部
グリセリン                                      １６    重量部
コレステロール                                    ０．４重量部
ベヘニルアルコール                                ０．７重量部
水酸化カリウム                                    ８．１重量部
ヤシ油脂肪酸蔗糖エステル                          １．３重量部
ステアリン酸                                    １２    重量部
パルミチン酸                                    １０    重量部
ミリスチン酸                                      ５    重量部
ラウリン酸                                      １２    重量部
リノール酸                                        ２    重量部
カルボキシメチルセルロースナトリウム              ０．４重量部
水                                              ２７．２重量部
ステアリン酸のラウリン酸に対する重量比：１
【００１１】
＜実施例２＞
実施例１の本発明の洗顔用の化粧料を用いて、敏感肌の人をパネラーに用いて使用テストを行った。比較例１として、実施例１のスフィンゴ糖脂質を水に置換したもの、比較例２として、実施例１のステアリン酸を全てラウリン酸に置換したものを用いた。使用テストは１群１０名とし、上記実施例１、比較例１、比較例２をそれぞれ割り当てた。期間は３週間とし、１日必ず２回は洗顔するものとした。使用テスト終了後刺激感の有無をアンケートによって調査した。結果は、実施例１使用群の刺激感発現者の例数が０であったのに対し、比較例１では２例、比較例２では６例であった。これより、本発明の洗顔用の化粧料は刺激の発現が抑制されていることがわかる。又、刺激発現の原因がラウリン酸によることがわかる。又、これらの洗顔料の洗浄性について、＋＋：非常によい、＋：良い、±：やや良い、−：良くないの基準で評価もしてもらった。結果は、実施例１が＋＋４例、＋６例であり、比較例１が＋１例、±８例、−１例であり、比較例２が＋＋６例、＋４例であった。これより、本発明の洗顔用の化粧料は洗浄性も維持していることがわかる。
【００１２】
＜実施例３＞
以下に示す処方に従って、洗顔用の化粧料を作成した。即ち、処方成分を８０℃で加熱・攪拌し、攪拌冷却して洗顔用の化粧料（クリーム状）を得た。このものについて、上腕内側部を用いて１０回連続洗浄による刺激性について実施例１を比較対照に検討したところ、明らかに低い刺激性を示した。これにより、本発明の洗顔用の化粧料には抗炎症成分が含有されていることが好ましいことがわかる。
水素添加大豆レシチン                              ０．４重量部
スフィンゴ糖脂質                                  ０．１重量部
大豆蛋白                                          ０．１重量部
ゴボウエキス                                      ０．１重量部
エタノール                                        １    重量部
ゴボウエキス                                      ０．１重量部
グリチルリチン酸ジカリウム                        ０．１重量部
ポリエチレングリコール                            １．８重量部
ポリオキシエチレンポリオキシプロピレングリセリン  １．８重量部
グリセリン                                      １６    重量部
コレステロール                                    ０．４重量部
ベヘニルアルコール                                ０．７重量部
水酸化カリウム                                    ８．１重量部
ヤシ油脂肪酸蔗糖エステル                          １．３重量部
ステアリン酸                                    １２    重量部
パルミチン酸                                    １０    重量部
ミリスチン酸                                      ５    重量部
ラウリン酸                                      １２    重量部
リノール酸                                        ２    重量部
カルボキシメチルセルロースナトリウム              ０．４重量部
水                                              ２７    重量部
ステアリン酸のラウリン酸に対する重量比：１
【００１３】
＜実施例４＞
以下に示す処方に従って、洗顔用の化粧料を作成した。即ち、処方成分を８０℃で加熱・攪拌し、攪拌冷却して洗顔用の化粧料（クリーム状）を得た。これらを敏感肌の専門パネラーを使用した５回の連続洗浄試験で、洗浄性と刺激発現性を調べた。これらの評価基準は、洗浄性が＋＋：非常によい、＋：良い、±：やや良い、−：良くないであり、刺激発現性が＋＋：刺激を感じない、＋：刺激を殆ど感じない、±：刺激をやや感じる、−：明らかに刺激を感じるを用いた。結果を表１に示す。これより、脂肪酸及び石鹸を構成する脂肪酸の脂肪酸組成に於いて、ステアリン酸のラウリン酸に対する重量比が０．８〜１．４であることが好ましく、更に好ましくは０．９〜１．１であることがわかる。
水素添加大豆レシチン                              ０．４重量部
スフィンゴ糖脂質                                  ０．１重量部
大豆蛋白                                          ０．１重量部
ゴボウエキス                                      ０．１重量部
エタノール                                        １    重量部
ポリエチレングリコール                            １．８重量部
ポリオキシエチレンポリオキシプロピレングリセリン  １．８重量部
グリセリン                                      １６    重量部
コレステロール                                    ０．４重量部
ベヘニルアルコール                                ０．７重量部
水酸化カリウム                                    ８．１重量部
ヤシ油脂肪酸蔗糖エステル                          １．３重量部
ステアリン酸＊
パルミチン酸                                    １０    重量部
ミリスチン酸                                      ５    重量部
ラウリン酸＊
リノール酸                                        ２    重量部
カルボキシメチルセルロースナトリウム              ０．４重量部
水                                              ２７．２重量部
【００１４】
【表１】
2001072574.tif 000001
【００１５】
【発明の効果】
本発明によれば、洗浄性を損なうことなく、炎症発現を抑制し、更に安全性の高い洗顔用の化粧料を提供することができる。